(57)【要約】【課題】従来の無停電電源装置は商用電源の安定を主眼として設計されている。このため接続される電子機器に内蔵された蓄電池の安定と代替を主眼として設計される無停電電源装置が必要される。現在2次電池はその寿命、電気容量に大きな制約がある。今日の電子機器のモバイル性の要求の増大、中古のモバイル型のパソコンの機能維持に対応するため2次電池の能力を補完する機器が必要である。【解決手段】電子機器に充分な2次電池を内蔵した装置と電源端子を接続する。電源端子の形状はさまざまであるが適合させることはコネクターの差し替えで可能である。電源電圧もさまざまであるが昇圧降圧のレギュレーターで適合可能である。2次電池の電気容量については、形状的に十分余裕があり充分な電気容量を提供できる。他の電子機器とのインターフェイスは電源端子だけなので2次電池の形状を共通化でき安価な装置を提供できる。【選択図】        図1
2008079422.tif 000002
【特許請求の範囲】
【請求項１】
可搬型の電子機器の直流端子と接続する、その電子機器の重量と同程度とする無停電電源装置。
【発明の詳細な説明】
【技術分野】
【０００１】
本発明は、電子機器の内蔵蓄電池がはたすべき機能を強化する無停電電源装置に関するものである。
【背景技術】
【０００２】
電子機器のハードウェア動作環境の中で無停電電源装置（この場合機器に内蔵された蓄電池も含む。）は、機器使用中の商用電源の停電に対する動作の継続やデーターの保護を担保し、また内蔵された蓄電池は機器のモバイル性を提供していた。
【特許文献１】特開２００４−３１２８７０
【発明の開示】
【発明が解決しようとする課題】
【０００３】
解決しようとする問題点は、古くなった機種において、単体（商用電源と接続しないでの利用の場合）で使用できる時間が購入時と比較して大幅に下回ることへの不満が利用者に多いのが実情であり、また電池パックは高価であり入手しにくいのである。
これらの解決には、申請機器の入力電圧が任意に対応できなくてはならないのであり、出力電圧も任意に対応できなくてはならないのである。また、入力電力は余裕が無いのが普通のため負荷が軽いときに充電する制御が必要となるのである。
【０００４】
内蔵電池パックが無いまたは使用不可の状態では単体での使用ができないばかりでなく、商用電源と接続して利用中に停電した場合貴重なデーターを失うことにもなるのである。
【０００５】
また新型機種においても、利用者としては単体で使用するニーズが増えたことに対応するには数個の予備の高価な蓄電池パックを購入し持参し電池パックを差し替えながら使わなければならないのである。
【０００６】
これらは内蔵の蓄電池の劣化が著しいためであり、蓄電池が内蔵のため形状に制約があるためであり、蓄電池パックが高価なのは形状に公的な規格が無いためでありまたモデルチェンジが著しく他の機種との互換性が低く他社が製造しにくいためである。
【課題を解決するための手段】
【０００７】
この考案によれば携帯型電源補完装置は、電子機器本体の外部にあってコネクター１個で接続される。コネクターのみ対応機種に適合させる。充電放電は負荷信号から自動的に制御される。電圧は自動的に補正され、任意に適合される。
本携帯型電源補完装置の内部には形状に制約されないため充分な蓄電池量を内蔵している。
商用電源を使う場合は切り替え回路をスルーして電力を当該電子機器に供給される。このとき、電極の＋−の逆に対応できるように回路が保証する。この電圧降下を回路が補正する。ＡＣアダプター（ＡＣ／ＤＣ変換器）は、当該電子機器専用の物であるから電圧はこの場合補正すれば充分のはずである。
【０００８】
また内蔵した蓄電池には電子機器に付属したＡＣアダプター（ＡＣ／ＤＣ変換器）とコネクター１個で接続されて自動的に充電される。充電状態は表示される。このときＡＣアダプター（ＡＣ／ＤＣ変換器）は余分な出力電力を持たないので負荷を監視して充電電流は制御される。
【０００９】
商用電源を使わない場合は、本携帯型電源補完装置の蓄電池の電圧をレギュレーターで当該電子機器に電圧を調整して、平滑回路で波形平坦にしたのち、切り替え回路を経て電力を当該電子機器へ供給される。このときの電圧は電圧選択回路で選択される。
【発明の効果】
【００１０】
本発明の携帯型電源補完装置は、本機器に内蔵された電池パックの開発初期費用を最小化することにある。
【００１１】
機種が古くなって内蔵蓄電池が利用できなくなった電子機器で内蔵の電池パックが廃品種となって入手できなくなった例えば膨大な数の中古パソコンに失われた無停電性、モバイル性を提供できる。
【００１２】
機種の古い新しいに関係なく、本発明は形状の制約を受けないため当該電子機器の内蔵電池パックだけの場合に比較してはるかに長時間の商用電源なしでの利用が可能になる。また予備の電池パックを複数持ち歩き差し替えて使うわずらわしさから開放できる。
【００１３】
コネクターを適合させるだけで全機種に使える（ユニバーサル効果）ので量産が可能であり、はるかに価格も低くできることが期待できる。予備の電池パックを複数購入することに比べればはるかに安価である。
【００１４】
また蓄電池の不具合により発火したとしても、本体の電子機器を損なう危険が無く本携帯型電源補完装置の損害だけで済む為大事な本体のデーターは保証されるので特に貴重な作業をする電子機器の用途が期待できる。
【発明を実施するための最良の形態】
【００１５】
本発明の携帯型電源補完装置は、コネクターを2個適合させるだけで無停電機能が利用できる。このことにより電池パックの開発初期費用の最小化が実現することになる。
【実施例１】
【００１６】
図１は、本発明装置の実施例のブロック図である。
可搬型の電子機器と接続し、その重量以下の重量で直流出力のできる外部の蓄電池装置を可能とすること。
電子機器に付属する交流−直流変換装置（以下、ＡＣアダプターとします。）の出力がある場合、この入力を切替え回路を経て電流はそのまま供給される。と同時に蓄電池には、充電回路を経て充電される。電子機器に付属するＡＣアダプターの出力がない場合、切替え回路は自動的に蓄電池側に切り替わり、電圧を調整し切替え回路を経て電流が供給される。過電流保護回路は、電子機器の不具合から本装置を保護します。
電圧選択回路は、電子機器側の仕様に適合するための調整用スイッチです。
昇圧降圧レギュレーターは、出力電圧を自動的に調整します。
平滑回路は、出力波形を平坦にします。
【実施例２】
【００１７】
図２は、携帯型電源補完装置の使用例を示した系統図である。
【実施例３】
【００１８】
図３は、無停電電源装置の従来の系統図である。
【実施例４】
【００１９】
図４は、携帯型電源補完装置の代表的な利用例の図である。
【産業上の利用可能性】
【００２０】
この発明は、商用電源が停電しても、常に安定した電力を負荷へ供給できる。パソコンをはじめ多くの電子機器の電源装置として使用される無停電電源装置に関するものである。
特に旧型のパソコンのリサイクル性を向上させ、新型パソコンを含めその利便性を向上させるものである。
【図面の簡単な説明】
【００２１】
【図１】この発明の制御ブロック図である。            （実施例１）
【図２】無停電電源装置の使用例を示した系統図である。  （実施例２）
【図３】この発明の従来の系統図である。                （実施例３）
【図４】この発明の利用例を示した図である。            （実施例４）
【符号の説明】
【００２２】
１  商業電源またはインバーター出力との接続コネクターです。
２  極性保証回路です。機種により異なる＋  −  を一致させます。
３  電圧調整回路です。極性保証回路での電圧降下を調整します。
４  切り替え回路です。内蔵蓄電池かそれ以外の電源かを切り替えます。
５  過電流保護回路です。電子機器側の不具合から本無停電電源装置を守ります。
６  内蔵のＡＣ／ＤＣコンバーターです。商用電源からＤＣ電源を作ります。
７  内蔵蓄電池の状態を表示します。
８  内蔵蓄電池への充電回路です。
９  内蔵の蓄電池です。
１０  出力電源のノイズ成分を除去します。
１１  電圧レギュレーターです。必要とされる電圧に対して蓄電池の電圧が低い場合は昇圧、その逆の場合は降圧します。
１２  電子機器側で必要とされる電圧を指定します。
１３  ＬＥＤ表示器です。
１４  過電圧保護回路です。外部からの過電圧から本携帯型電源補完装置を守ります。
１５  負荷を検出します。充電回路はこの信号で充電電流を制御します。
１６  商用電源です。
１７  従来の無停電電源装置です。商用電源が停電したとき内蔵の２次電池の出力をＡＣ電源にインバートします。
１８  従来の無停電電源装置から出力したＡＣ電源です。商用電源をスルーしたものかＤＣ／ＡＣ変換したものかのどちらかです。
１９  ＡＣ／ＤＣ変換器です。
２０  直流電源です。
２１  本発明の申請機器です。
２２  入力の直流電源をスルーしたものか、内部の二次電池の出力かのどちらかの直流電源です。
２３  パソコンを代表とする電子機器です。
２４  商用電源です。
２５  従来の無停電電源装置です。商用電源が停電したとき内蔵の２次電池の出力をＡＣ電源にインバートします。
２６  従来の無停電電源装置から出力したＡＣ電源です。商用電源をスルーしたものかＤＣ／ＡＣ変換したものかのどちらかです。
２７  ＡＣ／ＤＣ変換器です。
２８  直流電源です。
２９  パソコンを代表とする電子機器です。
【図１】
2008079422.tif 000003
【図２】
2008079422.tif 000004
【図３】
2008079422.tif 000005
【図４】
2008079422.tif 000006